(57)【特許請求の範囲】
【請求項１】
使用者用ハンドルと捕虫ヘッドとを有する捕虫器であって、
前記ヘッド４が複数の剛毛５を有し、かつ
前記捕虫器が、前記剛毛を動かして虫を囲みかつ捕らえる手段を有するアクチュエータ１１、１４、６を備えることを特徴とする捕虫器。
【請求項２】
前記アクチュエータが前記剛毛を収束させる手段を有することを特徴とする請求項１に記載の捕虫器。
【請求項３】
前記剛毛５が環形に配置されていることを特徴とする請求項１又は２に記載の捕虫器。
【請求項４】
前記ヘッドが、環形に配置された複数の剛毛５の房を有することを特徴とする請求項３に記載の捕虫器。
【請求項５】
前記剛毛５が２つ又はそれ以上の同心環形に配置されていることを特徴とする請求項３又は４に記載の捕虫器。
【請求項６】
外側環形の前記剛毛が内側環形のそれより長いことを特徴とする請求項５に記載の捕虫器。
【請求項７】
前記各環形が複数の剛毛の房を有し、隣接する環形の前記房が相互にずれた形に取り付けられていることを特徴とする請求項５又は６に記載の捕虫器。
【請求項８】
前記アクチュエータが、前記剛毛を支持するダイヤフラム６と、前記ダイヤフラムを前記剛毛５が広がる凸形位置と前記剛毛が収束する凹形位置との間で動かすための手段とを有することを特徴とする請求項２乃至７のいずれかに記載の捕虫器。
【請求項９】
前記ダイヤフラムを動かすための前記手段が、一方の端部で前記ダイヤフラム６に接続され、かつ他方の端部で前記ハンドル２のトリガ機構１０、１１、１２、１３に接続されているロッド１４を有することを特徴とする請求項８に記載の捕虫器。
【請求項１０】
前記トリガ機構が、前側の固定されたハンドル部分１０と、前記ロッド１４に接続された後側のトリガ１１とを有することを特徴とする請求項９に記載の捕虫器。
【請求項１１】
前記アクチュエータが更に、前記剛毛を収束状態に付勢するように取り付けられたばね１３、２４を有することを特徴とする請求項１乃至１０のいずれかに記載の捕虫器。
【請求項１２】
前記ハンドル２が、細長いロッド３により前記ヘッド４に接続されていることを特徴とする請求項１乃至１１のいずれかに記載の捕虫器。
【発明の詳細な説明】
【０００１】
【技術分野】
本発明は、虫を建物から取り除きかつ生きたまま屋外に放すことができるように捕らえることに関する。
【０００２】
【背景技術】
多くの人は、クモのような虫が建物の中に存在することは迷惑なことだと考えている。しかしながら、このような多くの人は、虫を殺すことを望んでおらず、虫を殺すことなく処理する簡便な方法があれば好ましいと考えている。
【０００３】
この問題は長年に亘って存在し、この作業を行う捕虫器を提供するいくつかの試みが行われている。このような捕虫器の１つのタイプは、吸引力を用いて虫をチャンバ内に引き込むという原理に基づいている。例えば、米国特許第３９６５６０８号明細書（Schuman）には、手持ち式吸引器が記載されている。手動式のピストンポンプが吸引力を発生させ、トリガ作動式のシャッタバルブがノズルにおける吸引を制御する。蓄積された真空力を強化するために、逆止弁を設けることができる。
【０００４】
米国特許第４６３１８５８号（Kahle）明細書には、同様の原理で動作する装置が記載されている。管の開放端を虫の近くに保持しかつピストンを放して真空を生じさせることにより、虫をチャンバ内に引き込む。
【０００５】
米国特許第４８１７３３０号（Fahringer）明細書には、同様に類似の原理で動作する装置が記載されている。この装置は、圧搾すると真空を発生させるベローズを有する。ベローズは導管でトラップチャンバと接続され、かつ該導管内には網が取り付けられている。
【０００６】
米国特許第５５３７７７７号（Geeting）には、一方の端部に圧縮チャンバを設けたハンドルを有する装置が記載されている。シャフトの端部に柔軟なヘッドが取り付けられている。この柔軟なヘッドは、圧縮されると虫を包み込むように、圧縮チャンバ内に引き込まれる。
【０００７】
この原理で動作する装置は、かなり複雑になると思われ、従って高価で広範な用途にはなじまないものである。別の非常に重要な側面は、この装置は相当な力が虫に作用すると思われ、トラップチャンバ内の網のような該装置の部分が、虫を殺さないとしても、少なくとも傷付けることになると考えられる。
【０００８】
別の手法は、虫をチャンバ内に捕えるようにトラップドアを制御するという原理に基づいている。例えば、米国特許第４３２４０６２号（Schneider）明細書では、筒型ハウジングの両端に可動トラップドアを有する。一方の端部は隅で使用するように形成され、かつ他方の端部は壁などに対して使用するように平坦になっている。米国特許第５２０７０１８号（Reaver）明細書には、透明な硬質ハウジングを有する柔軟なハンドルからなる装置が記載されている。このハウジングは大きな穴を有し、これを通して虫を配置する。この区画穴の両側に沿って一対の平行なチャネルが延長し、網目状の閉鎖部材の前端を支持するように構成されている。
【０００９】
これらの装置は、虫を傷付けたり殺したりする可能性が低いように思われる。しかしながら、これらは操作が難しくかつ複雑であるように思われる。
【００１０】
従って、虫を傷付けたり殺したりしないように、かつ虫を簡単な方法で捕えるようにより簡単に操作される補虫器が要求されている。
また、簡単で安価な構造の補虫器が要求されている。
【００１１】
【発明の開示】
本発明によれば、使用者用ハンドルと捕虫ヘッドとを有する捕虫器であって、前記ヘッドが複数の剛毛を有し、かつ前記剛毛を動かして虫を囲みかつ捕らえる手段を有するアクチュエータを備える捕虫器が提供される。
【００１２】
従って、本発明は、長年に亘って入手可能な部品（即ち、剛毛）を用いて、簡便な方法で虫を捕えることができる。
【００１３】
好適には、前記アクチュエータは剛毛を収束させるための手段を有する。
【００１４】
或る実施例では、前記剛毛が環形に配置されている。
【００１５】
好適には、前記ヘッドが環形に配置された複数の剛毛の房を有する。
【００１６】
或る実施例では、前記剛毛が２つ又はそれ以上の同心環形に配置されている。
【００１７】
好適には、外側環形の前記剛毛が内側環形のそれより長い。
【００１８】
或る実施例では、前記各環形が複数の剛毛の房を有し、隣接する環形の前記房が相互にずれた形に取り付けられている。
【００１９】
別の実施例では、前記アクチュエータが、剛毛を支持するダイヤフラムと、該ダイヤフラムを剛毛５が広がる凸形位置と前記剛毛が収束する凹形位置との間で動かすための手段とを有する。これは、虫を殺すことなく捕えるように剛毛を動かす非常に簡単で効果的な方法である。
【００２０】
好適には、前記ダイヤフラムを動かすための手段が、一方の端部で前記ダイヤフラムに接続され、かつ他方の端部で前記ハンドルのトリガ機構に接続されているロッドを有する。
【００２１】
或る実施例では、前記トリガ機構が前側の固定ハンドル部分１０とロッドに接続された後側のトリガとを有する。
【００２２】
好適には、前記アクチュエータが更に、収束状態に前記剛毛を付勢するように取り付けられたばねを有する。
【００２３】
或る実施例では、前記ハンドルが細長いロッドによってヘッドに接続されている。
【００２４】
【発明を実施するための最良の形態】
添付図面に関し、先ず図１乃至図５には、本発明の補虫器１が示されている。補虫器１は、細長いロッド３に接続されたハンドル２を備え、該ハンドルの他方の端部にヘッド４が接続されている。ヘッド４は、ダイヤフラム６から延長する剛毛５の房を有する。
【００２５】
図２及び図３に示すように、剛毛５は、２つの同心環形に前記房をずらして配置されている。また、図２から分かるように、外側環形の前記剛毛は、内側環形のそれより約８mm長い。内側環形の前記剛毛の長さは９２mmであり、外側環形のそれの長さは１００mmである。
【００２６】
特に図５に関し、ハンドル２は、ピボットジョイント１２によりトリガ１１に枢着された固定ハンドル部分１０を有する。固定ハンドル部分１０は、図５の矢印Ａ及び破線で示す動作においてトリガ１１で押圧される板ばね３０を有する。トリガ１１は、ばね１３の作用に抗して管３内のロッド１３を押圧する。
【００２７】
図６に関して、参照符号２０で示されるヘッドの別の構成が示されている。この実施例では、固定ハンドル部分２１がピボットジョイント２３においてトリガ２２に接続されている。トリガ２２は、ロッド２５の周囲のコイルばね２４により後方へ付勢されている。図５及び図６双方の実施例では、前記ロッドが関連するばね１３又は２４の作用により後方に押されている。
【００２８】
次に図７及び図８に関し、剛毛５の動きの制御する方法が記載されている。図７及び図８は同様にヘッド４を詳細に示している。これは、ドーム型のケース１３と、ダイヤフラム６を支持するプラスチック材料のシールリング１３とを有する。ロッド１４が、ファスナ３２によりダイヤフラム６に接続されている。ダイヤフラム６は柔軟であり、そのデフォルト位置が図７に示されている。このデフォルト位置は、トリガ１１及びロッド１４を図５で破線で示される最後方の位置に付勢するばね１３の作用によるものである。この位置において、ダイヤフラム６は凹形をなしかつ剛毛５は収束する。ダイヤフラム６は、使用者がばね１３の作用に抗してトリガ１１を前方へ押した時、凸形位置に動かすことができる。
【００２９】
使用時には、図９及び図１０に関して、使用者が補虫器１をハンドル２で保持し、ばね１３の作用に抗してトリガ１１を前方へ押す。これにより、図８及び図９ａに示すように、剛毛５を広げる。次に、図９ｂに示すように、剛毛５が虫（この実施例では、クモＳ）を囲むようにヘッド４を動かす。
【００３０】
図９ｃに示すように、使用者は次にハンドルにおける圧力を徐々に開放することにより、ばね１３がロッド１４を動かし、従ってダイヤフラム６を凹形位置に動かす。これにより剛毛５が収束する。クモＳが位置する表面に対して剛毛５を押し当てるので、内側の剛毛は先ず収束自在であり、外側の剛毛は前記表面に対して保持される。従って、内側の剛毛は、虫を捕えるが傷付けないような方法で虫を囲みかつ捕まえる。また、内側の剛毛は、クモＳを或る程度持ち上げるのに役立つ。次に、図９ｄに示すように、外側の剛毛５が収束してクモＳを囲み、クモＳの周囲及び下側の双方により内包的に捕えることができる。最後の位置が図１０に最も明確に示されている。この動作は虫を傷付けないことが分かる。前記剛毛は、虫を捕まえる程度の強度を有するが、これを傷付けないような弾性を有する。
【００３１】
次に使用者は、補虫器１を屋外に運び、再びトリガ１１を押す。これにより剛毛５を広げて、虫を無傷で解放する。
【００３２】
本発明によれば、従来行なわれているよりもより簡単な補虫器が提供されることが分かる。重要なことは、この補虫器が長年に亘って使用されている簡単な部品を用いていることである。従って、従来の製造技術を用いて製造することができる。
【００３３】
また、本発明の補虫器は従来の装置より虫を傷付けたり殺す可能性がはるかに低い。更に別の利点は、補虫器の操作がより簡単なことである。単に配置しかつトリガ動作することだけが要求される。別の利点は、補虫器が窮屈な隅や開けた表面のような様々な場所で簡単に使用し得ることである。
【００３４】
本発明は上述した実施例に限定されるものでなく、その技術的範囲内においてその構成及び詳細な部分を様々に変形させることができる。例えば、虫を捕えることができる様々な形態の剛毛を使用することができる。また、剛毛が収束して虫を捕えることが本質的なことではない。例えば、前記剛毛は、放射方向に動く弓形支持部上で横方向に動かすことができる。しかしながら、前記収束動作が最も効果的である。
【図面の簡単な説明】
【図１】  本発明の補虫器の側面図である。
【図２】  補虫器のヘッドの一部分を示すより詳細な斜視図である。
【図３】  補虫器のダイヤフラムの正面図である。
【図４】  図３のIV−IV線における矢示方向の断面図である。
【図５】  補虫器のハンドルを示す概略側面図である。
【図６】  ハンドルの別の構成を示す概略側面図である。
【図７】  補虫器のヘッドを示す概略側断面図である。
【図８】  図８と異なる位置における補虫器のヘッドを示す概略側断面図である。
【図９】  ａ図乃至ｄ図は、虫を捕える様子を順に示す図である。
【図１０】  虫を捕えた捕虫器のヘッドを示す斜視図である。
【図１】
0004403263.tif 000002
【図２】
0004403263.tif 000003
【図３】
0004403263.tif 000004
【図４】
0004403263.tif 000005
【図５】
0004403263.tif 000006
【図６】
0004403263.tif 000007
【図７】
0004403263.tif 000008
【図８】
0004403263.tif 000009
【図９】
0004403263.tif 000010
【図１０】
0004403263.tif 000011